(57)【要約】【課題】ケーブルの煽り等にも強いコネクタ組立体を提供すること。【解決手段】コネクタ組立体１００は、基板に搭載されるレセプタクルコネクタ３００と、基板と平行な面（ＸＹ平面）内においてレセプタクルコネクタ３００と嵌合・抜去可能なプラグコネクタ２００とを備えている。レセプタクルコネクタ３００は、プラグコネクタ２００の嵌合・抜去をガイドする金属製のガイド部３３０と、基板に固定される被固定部３３８とを備えている。被固定部３３８は、ガイド部３３０と一体に形成されている。一方、プラグコネクタ２００は、ガイド部３３０にガイドされる被ガイド部２３０を備えている。被固定部３３８を介して基板に固定されるガイド部３３０により被ガイド部２３０が保持されるため、プラグコネクタ２００に接続されたケーブル４００が煽られた場合にもプラグコネクタ２００とレセプタクルコネクタ３００の嵌合状態は保持される。【選択図】図３
2010170843.tif 000002
【特許請求の範囲】
【請求項１】
基板に搭載されるレセプタクルコネクタと、前記基板と平行な面内において前記レセプタクルコネクタと嵌合・抜去可能なプラグコネクタとを備えるコネクタ組立体であって、
前記レセプタクルコネクタは、プラグコネクタの嵌合・抜去をガイドするガイド部と、前記基板に固定される被固定部であって前記ガイド部のそれぞれと一体に形成された被固定部とを備えており、
前記プラグコネクタは、前記ガイド部にガイドされる被ガイド部を備えている
コネクタ組立体。
【請求項２】
請求項１記載のコネクタ組立体において、
前記ガイド部は、前記レセプタクルコネクタが前記基板に搭載された際に前記基板と平行となる上壁部と、該上壁部から下側に向かって延びる側壁部とを少なくとも備えている、コネクタ組立体。
【請求項３】
請求項２記載のコネクタ組立体において、
前記側壁部の前端には、前記プラグコネクタを前記レセプタクルコネクタに嵌合する際に前記被ガイド部を前記ガイド部に向けて誘導する誘導部が形成されている
コネクタ組立体。
【請求項４】
請求項２又は請求項３記載のコネクタ組立体において、
前記プラグコネクタは、嵌合部を有しており、
前記レセプタクルコネクタは、第１方向に沿って前記プラグコネクタの前記嵌合部を受け入れる本体部であって前記第１方向と直交する第２方向を長手方向とする本体部と、前記本体部と共に略コの字形状を形成するように前記第１方向に沿って延びる２つの腕部とを備えており、
前記ガイド部は、前記腕部に設けられている
コネクタ組立体。
【請求項５】
請求項４記載のコネクタ組立体において、
ロック部を有する操作部材を更に備えており、
前記操作部材は、該操作部材の操作に応じて前記ロック部が移動可能となるように、前記被ガイド部に保持されており、
前記ガイド部には前記ロック部が係合しうるロック孔が形成されている
コネクタ組立体。
【請求項６】
請求項５記載のコネクタ組立体において、
前記被ガイド部は、上面を有すると共に前記第２方向において内面及び外面を有しており、
前記被ガイド部には、前記第２方向に沿って前記内面から前記外面まで貫通する保持孔が形成されており、
前記被ガイド部の前記内面には、カム部が形成されており、
前記操作部材は、主部と、該主部の操作に応じて前記カム部に押し付けられるカムフォロワ部と、該カムフォロワ部から延びる被保持部とを備えており、
前記被保持部の端部は前記ロック部として機能するものであり、
前記被保持部は、該カムフォロワ部の前記カム部上の移動に応じて前記第２方向に沿って移動可能となるように且つ前記保持孔内において回動可能となるように前記被ガイド部に保持されており、
前記ロック部は、前記主部によって、前記被ガイド部の前記外面から突出するように付勢されており、
前記ガイド部は、前記被ガイド部の前記上面及び前記外面をガイドするものであり、
前記ロック孔は、前記プラグコネクタが前記レセプタクルコネクタに嵌合した際に前記ロック部を受入可能となるように、前記側壁部に形成されている、
コネクタ組立体。
【請求項７】
請求項１乃至請求項６のいずれかに記載のコネクタ組立体において、
前記レセプタクルコネクタは、金属製のシェルを備えており、
前記ガイド部は、前記シェルと一体に形成されている
コネクタ組立体。
【請求項８】
請求項１乃至請求項７のいずれかに記載のコネクタ組立体に用いられるプラグコネクタ。
【請求項９】
請求項１乃至請求項７のいずれかに記載のコネクタ組立体に用いられるレセプタクルコネクタ。
【発明の詳細な説明】
【技術分野】
【０００１】
本発明は、プラグコネクタとレセプタクルコネクタとを備えるコネクタ組立体に関し、特に、レセプタクルコネクタが基板に搭載されるものであり且つプラグコネクタがその基板と平行な面内においてレセプタクルコネクタと嵌合・抜去可能なものであるコネクタ組立体に関する。
【背景技術】
【０００２】
この種のコネクタ組立体としては、例えば特許文献１の図８乃至図１１に示されるものがある（従来例１）。従来例１のコネクタ組立体におけるプラグコネクタは、長手方向の両端の後端に操作部材を取り付け、操作部材を後方に引くことによってプラグコネクタのロック部によるロックを解除するものである。
【０００３】
なお、同特許文献１の図１乃至図５には金属製の操作部材（プルバー）を用いたロック機構を有するコネクタ組立体が開示されている（従来例２）。更に、同種のロック機構を有するコネクタ組立体は、例えば、特許文献２にも開示されている（従来例３）。但し、従来例２や従来例３のように金属製の操作部材を用いたロック機構を有するコネクタ組立体は、基板と直交する方向においてプラグコネクタをレセプタクルコネクタに嵌合・抜去させるものである。
【先行技術文献】
【特許文献】
【０００４】
【特許文献１】特開２００５−２６７９７７号公報
【特許文献２】特開２００８−１１２７００号公報
【発明の概要】
【発明が解決しようとする課題】
【０００５】
従来例１のコネクタ組立体においては、プラグコネクタに保持されたケーブルが煽られた場合などにプラグコネクタとレセプタクルコネクタとの嵌合状態が解除されてしまう恐れがあるといった問題がある。
【０００６】
そこで、本発明は、ケーブルの煽り等にも強くコネクタ間の嵌合状態が解除されないコネクタ組立体を提供することを目的とする。
【課題を解決するための手段】
【０００７】
本発明によれば、第１のコネクタ組立体として、基板に搭載されるレセプタクルコネクタと、前記基板と平行な面内において前記レセプタクルコネクタと嵌合・抜去可能なプラグコネクタとを備えるコネクタ組立体であって、
前記レセプタクルコネクタは、プラグコネクタの嵌合・抜去をガイドするガイド部と、前記基板に固定される被固定部であって前記ガイド部のそれぞれと一体に形成された被固定部とを備えており、
前記プラグコネクタは、前記ガイド部にガイドされる被ガイド部を備えている
コネクタ組立体が得られる。
【０００８】
また、本発明によれば、第２のコネクタ組立体として、第１のコネクタ組立体において、
前記ガイド部は、前記レセプタクルコネクタが前記基板に搭載された際に前記基板と平行となる上壁部と、該上壁部から下側に向かって延びる側壁部とを少なくとも備えている、コネクタ組立体が得られる。
【０００９】
また、本発明によれば、第３のコネクタ組立体として、第２のコネクタ組立体において、
前記側壁部の前端には、前記プラグコネクタを前記レセプタクルコネクタに嵌合する際に前記被ガイド部を前記ガイド部に向けて誘導する誘導部が形成されている
コネクタ組立体が得られる。
【００１０】
また、本発明によれば、第４のコネクタ組立体として、第２又は第３のコネクタ組立体において、
前記プラグコネクタは、嵌合部を有しており、
前記レセプタクルコネクタは、第１方向（Ｘ方向）に沿って前記プラグコネクタの前記嵌合部を受け入れる本体部であって前記第１方向と直交する第２方向（Ｙ方向）を長手方向とする本体部と、前記本体部と共に略コの字形状を形成するように前記第１方向に沿って延びる２つの腕部とを備えており、
前記ガイド部は、前記腕部に設けられている
コネクタ組立体が得られる。
【００１１】
また、本発明によれば、第５のコネクタ組立体として、第４のコネクタ組立体において、
ロック部を有する操作部材を更に備えており、
前記操作部材は、該操作部材の操作に応じて前記ロック部が移動可能となるように、前記被ガイド部に保持されており、
前記ガイド部には前記ロック部が係合しうるロック孔が形成されている
コネクタ組立体が得られる。
【００１２】
また、本発明によれば、第６のコネクタ組立体として、第５のコネクタ組立体において、
前記被ガイド部は、上面を有すると共に前記第２方向において内面及び外面を有しており、
前記被ガイド部には、前記第２方向に沿って前記内面から前記外面まで貫通する保持孔が形成されており、
前記被ガイド部の前記内面には、カム部が形成されており、
前記操作部材は、主部と、該主部の操作に応じて前記カム部に押し付けられるカムフォロワ部と、該カムフォロワ部から延びる被保持部とを備えており、
前記被保持部の端部は前記ロック部として機能するものであり、
前記被保持部は、該カムフォロワ部の前記カム部上の移動に応じて前記第２方向に沿って移動可能となるように且つ前記保持孔内において回動可能となるように前記被ガイド部に保持されており、
前記ロック部は、前記主部によって、前記被ガイド部の前記外面から突出するように付勢されており、
前記ガイド部は、前記被ガイド部の前記上面及び前記外面をガイドするものであり、
前記ロック孔は、前記プラグコネクタが前記レセプタクルコネクタに嵌合した際に前記ロック部を受入可能となるように、前記側壁部に形成されている、
コネクタ組立体が得られる。
【００１３】
また、本発明によれば、第７のコネクタ組立体として、第１乃至第６のコネクタ組立体のいずれかにおいて、
前記レセプタクルコネクタは、金属製のシェルを備えており、
前記ガイド部は、前記シェルと一体に形成されている
コネクタ組立体が得られる。
【００１４】
また、本発明によれば、第１乃至第７のコネクタ組立体のいずれかに用いられるプラグコネクタが得られる。
【００１５】
更に、本発明によれば、第１乃至第７のコネクタ組立体のいずれかに用いられるレセプタクルコネクタが得られる。
【発明の効果】
【００１６】
本発明によれば、基板に固定される被固定部と一体に形成された金属製のガイド部をレセプタクルコネクタに設け、プラグコネクタの被ガイド部をレセプタクルコネクタのガイド部にガイドさせることとすることによって、ケーブルの煽り等に強い構造とすることができる。特に、ガイド部が上壁部を有していることから、ケーブルの上下方向における動きによる影響を受けにくい。
【００１７】
更に、従来例１のようなロック機構ではプラグコネクタを大型化することなく被ガイド部を大きくすることができないが、本発明によれば、従来例１のロック機構よりはむしろ従来例２や従来例３のロック機構に近い仕組みを採用したことから、プラグコネクタを大型化することなく被ガイド部を大きくすることができる。
【００１８】
加えて、レセプタクルコネクタにおいては、ロック機構の一部（ロック孔）とガイド部とを一体に形成していることから、部品点数を増やしたりレセプタクルコネクタを不要に大型化したりすることなく、嵌合状態の保持能力を高めることができている。
【図面の簡単な説明】
【００１９】
【図１】本発明の実施の形態によるコネクタ組立体であってプラグコネクタ及びレセプタクルコネクタを備えるコネクタ組立体を示す斜視図である。
【図２】図１のプラグコネクタを示す斜視図である。
【図３】図１のコネクタ組立体の端部を拡大して示す部分斜視図である。
【図４】図２のプラグコネクタに保持されている操作部材を示す上面図である。
【図５】図１のレセプタクルコネクタを示す斜視図である。
【図６】図５のレセプタクルコネクタに含まれるシェルを示す斜視図である。
【図７】図６のシェルの端部を拡大して示す部分斜視図である。
【発明を実施するための形態】
【００２０】
本発明の実施の形態によるコネクタ組立体１００は、図１に示されるように、プラグコネクタ２００と、そのプラグコネクタ２００を接続するレセプタクルコネクタ３００とを備えている。レセプタクルコネクタ３００は、基板（図示せず）に搭載されるものであり、プラグコネクタ２００は、基板と平行な面内（ＸＹ平面内）においてレセプタクルコネクタ３００と嵌合・抜去可能なものである。より具体的には、図示されたプラグコネクタ２００は、Ｘ方向（第１方向）に沿ってレセプタクルコネクタ３００に対して嵌合・抜去可能なものである。
【００２１】
図２に示されるように、プラグコネクタ２００は、複数のコンタクト２１０と、コンタクト２１０を保持する絶縁性のハウジング２２０と、被ガイド部２３０とを備えている。コンタクト２１０は、プラグコネクタ２００の嵌合部２０２において接触可能となるようにして、ハウジング２２０に保持されている。ハウジング２２０の後端側には複数のケーブル４００が取り付けられており、ケーブル４００の信号線はハウジング２２０内においてコンタクト２１０にそれぞれ接続されている。ハウジング２２０は、Ｙ方向（第２方向）に長手を有するものであり、被ガイド部２３０はその両端に設けられている。
【００２２】
図２及び図３に示されるように、被ガイド部２３０には、被ガイド部２３０のＹ方向における内面２３２から外面２３４まで被ガイド部を貫通するようにＹ方向に沿って延びる保持孔２３６が形成されており、更に、被ガイド部２３０の内面２３２にはカム部２３８が形成されている。保持孔２３６には、金属製の棒を折り曲げ加工してなる操作部材５００が保持されている。
【００２３】
図４に示されるように、操作部材５００は、例えば布製の操作部６００が取り付けられるコの字状の主部５１０と、主部５１０の両端に形成されたカムフォロワ部５２０と、カムフォロワ部５２０から外側に向かって延びる被保持部５３０とを備えており、その端部は後述するようにロック部５４０として機能する。主部５１０のＸ方向における長さは被ガイド部２３０の内面２３２間の距離を考慮して定められており、その結果として、カムフォロワ部５２０は操作部６００（主部５１０）の操作に応じて被ガイド部２３０のカム部２３８に押し付けられてカム部２３８に追従することとなる。また、操作部６００（主部５１０）の非操作状態においては、ロック部５４０が被ガイド部２３０の外面２３４からＹ方向外側に向けて突出している。即ち、ロック部５４０は、主部５１０によって、被ガイド部２３０の外面２３４からＹ方向外側に向けて突出するように付勢されている。被保持部５３０は、被ガイド部２３０に形成された保持孔２３６内において回動可能となるように且つカムフォロワ部５２０のカム部２３８上の移動に応じてＹ方向に移動可能となるように、保持孔２３６に保持されている。
【００２４】
図５に示されるように、レセプタクルコネクタ３００は、Ｘ方向に沿ってプラグコネクタ２００の嵌合部２０２を受け入れる本体部３０２と、Ｚ方向に沿って見た場合に本体部３０２と共に略コの字形状を形成するようにＸ方向に沿って延びる２つの腕部３０４とを備えている。詳しくは、本体部３０２は、Ｙ方向に長手を有しており、その両端には溝部３０６が形成されている。溝部３０６は、Ｚ方向に沿って凹んだものであり、Ｘ方向に沿って延びている。各腕部３０４はＹ方向において本体部３０２との間に溝部３０６を挟むようにして設けられている。この溝部３０６は、後述するように、操作部材５００の一部を収容するためのものである。
【００２５】
具体的には、本実施の形態によるレセプタクルコネクタ３００は、金属製のシェル３１０と、絶縁性のハウジング３２０と、金属製のガイド部３３０とを備えている。本実施の形態によるシェル３１０は、図６に示されるように、本体部３０２を構成するシェル主部３１２とガイド部３３０とを一体に形成してなるものであり、モールドイン法によってハウジング３２０形成時にハウジング３２０に組み込まれるものである。しかしながら、本発明はこれに制限されるものではなく、例えば、シェル主部３１２とガイド部３３０とを別体としてもよい。
【００２６】
図２及び図３から理解されるように、本実施の形態によるガイド部３３０は、被ガイド部２３０の上面２３０ａ及び外面２３４をガイドするものである。ここで、ガイド部３３０は、図５に示されるように、本体部３０２よりもＸ方向に突出した腕部３０４に設けられており、従って、Ｘ方向における長さを長くとることができる。
【００２７】
詳しくは、ガイド部３３０は、図７に示されるように、ＸＹ平面と平行な上壁部３３２と、上壁部３３２から下側に向かってＸＺ平面と平行に延びる側壁部３３４とを備えている。側壁部３３４には、プラグコネクタ２００がレセプタクルコネクタ３００に嵌合された際にロック部５４０が係合するロック孔３３５が形成されている。なお、本実施の形態においては、腕部３０４を構成するハウジング３２０の一部にもロック孔３３５に対応した孔が形成されており（図１及び図５参照）、ロック部５４０がロック孔３３５を通って側壁部３３４よりも更に外側に突出したとしても腕部３０４の孔に収容されることができる。
【００２８】
図７に示されるように、本実施の形態による側壁部３３４の前端には、Ｙ方向外側に向かって広がるように曲げ形成された誘導部３３６が設けられている。この誘導部３３６は、プラグコネクタ２００をレセプタクルコネクタ３００に嵌合する際にプラグコネクタ２００の被ガイド部２３０をガイド部３３０に向けて誘導するためのものである。側壁部３３４の前端近傍には、レセプタクルコネクタ３００の搭載される基板（図示せず）に半田等により接続・固定される被固定部３３８が形成されており、また、側壁部３３４の後端近傍には同基板に搭載される被搭載部３３９が形成されている。このように、本実施の形態によるガイド部３３０は、基板に固定される被固定部３３８と一体形成されているので、上方向に向かうような力に対してある程度の強度を有している。
【００２９】
上述した構造を備えるコネクタ組立体１００においては、Ｘ方向に沿って（−Ｘ方向に向かって）プラグコネクタ２００の嵌合部２０２をレセプタクルコネクタ３００の本体部３０２に挿入することにより、プラグコネクタ２００をレセプタクルコネクタ３００に嵌合させる。この際、操作部材５００は、図１に示されるようにＸＹ平面に平行となるように倒されている。プラグコネクタ２００をレセプタクルコネクタ３００から抜去する際には、操作部６００をＺ方向に引くことにより操作部材５００を起こす。この操作により、操作部材５００のカムフォロワ部５２０は被ガイド部２３０のカム部２３８に追従することとなり、それによってロック部５４０はＹ方向に沿って被ガイド部２３０の内側に向かって移動し、ロック部５４０とロック孔３３５との係合が外れることとなる。更に、操作部材５００をプラグコネクタ２００の後方に向けて倒しつつ、操作部６００を引くと、プラグコネクタ２００をレセプタクルコネクタ３００から抜き去ることができる。
【００３０】
かかるコネクタ組立体１００によれば、被固定部３３８と一体に形成され且つＸ方向に比較的長く延びるガイド部３３０にプラグコネクタ２００の被ガイド部２３０をガイドさせていることから、プラグコネクタ２００をレセプタクルコネクタ３００に嵌合した状態においてプラグコネクタ２００の後端に取り付けられたケーブル４００が煽られたような場合であってもガイド部３３０の上壁部３３２によって被ガイド部２３０の上方への移動を抑え込むことができるため、プラグコネクタ２００がレセプタクルコネクタ３００から抜け落ちることを防ぐことができる。
【００３１】
加えて、本実施の形態によるコネクタ組立体１００では、特許文献１とは異なり、金属製の棒を加工してなる操作部材５００の端部を構成するロック部５４０とガイド部３３０に形成されたロック孔３３５とによるロック機構によりプラグコネクタ２００のレセプタクルコネクタ３００に対する嵌合状態をロックすることとしていることから、プラグコネクタ２００の後端側にロック機構用の部位を設ける必要がない。従って、ガイド部３３０のＸ方向における長さを大きくとったとしても、プラグコネクタ２００のＸ方向におけるサイズの大型化を抑えることができる。
【００３２】
更に、本実施の形態においては、レセプタクルコネクタ３００に操作部材５００の主部５１０の一部を収容する溝部３０６を設けていることから、プラグコネクタ２００とレセプタクルコネクタ３００との嵌合状態において操作部材５００をＸＹ平面と平行になるまで倒すことができ、従って、コネクタ組立体１００の低背化を図ることができている。
【符号の説明】
【００３３】
１００        コネクタ組立体
２００        プラグコネクタ
２０２        嵌合部
２１０        コンタクト
２２０        ハウジング
２３０        被ガイド部
２３２        内面
２３４        外面
２３６        保持孔
２３８        カム部
３００        レセプタクルコネクタ
３０２        本体部
３０４        腕部
３０６        溝部
３１０        シェル
３１２        シェル主部
３２０        ハウジング
３３０        ガイド部
３３２        上壁部
３３４        側壁部
３３５        ロック孔
３３６        誘導部
３３８        被固定部
３３９        被搭載部
４００        ケーブル
５００        操作部材
５１０        主部
５２０        カムフォロワ部
５３０        被保持部
５４０        ロック部
６００        操作部
【図１】
2010170843.tif 000003
【図２】
2010170843.tif 000004
【図３】
2010170843.tif 000005
【図４】
2010170843.tif 000006
【図５】
2010170843.tif 000007
【図６】
2010170843.tif 000008
【図７】
2010170843.tif 000009